(57)【要約】【課題】簡単な構造でソケット側の形状にも左右されずにフィルタを装着でき、しかもフィルタ交換を容易に行うことができる管継手を提供する。【解決手段】プラグ部２を有するプラグ側部材３と、プラグ部２が着脱自在に接合されるソケット側部材４とからなる管継手１において、プラグ部２は、その先端部分がフィルタ７を具備した着脱自在なフィルタ部材５で構成されている。フィルタ部材５は、プラグ先端に着脱自在に接続される接続部材６と、接続部材６とでフィルタ７を保持する保持部材８とで構成されている。保持部材８は、接続部材６にワンタッチで連結されるか、又は接続部材６に着脱自在に連結される。プラグ側部材３がリリーフ弁であって、このリリーフ弁の管内圧力作用側にプラグ部２が形成されている。【選択図】  図１
2006322475.tif 000002
【特許請求の範囲】
【請求項１】
プラグ部を有するプラグ側部材と、該プラグ部が着脱自在に接合されるソケット側部材とからなる管継手において、
前記プラグ部は、その先端部分がフィルタを具備した着脱自在なフィルタ部材で構成されてなることを特徴とする管継手。
【請求項２】
前記フィルタ部材は、プラグ先端に着脱自在に接続される接続部材と、この接続部材とでフィルタを保持する保持部材とで構成されたことを特徴とする請求項１記載の管継手。
【請求項３】
前記保持部材は、前記接続部材にワンタッチで連結されることを特徴とする請求項２記載の管継手。
【請求項４】
前記保持部材は、前記接続部材に着脱自在に連結されることを特徴とする請求項２記載の管継手。
【請求項５】
前記プラグ側部材がリリーフ弁であって、このリリーフ弁の管内圧力作用側に前記プラグ部が形成されていることを特徴とする請求項１、２、３又は４記載の管継手。
【発明の詳細な説明】
【技術分野】
【０００１】
本発明は、管継手に関し、特にフィルタ機能を備えた管継手に関するものである。
【背景技術】
【０００２】
従来、管継手としては、特許文献１に見られるように、２本の配管をユニオンナット等によって接続するものが提供されており、この管継手には一方の配管の連結端部内にフィルタが挿入配置されている。
【０００３】
また、特許文献２に見られるように、プラグ部を有するプラグ側部材と、このプラグ部が着脱自在に接合されるソケット側部材とからなる管継手も提供されている。
【特許文献１】特開平７−２１３８２３号公報
【特許文献２】特開２００２−２６７０７９号公報
【発明の開示】
【発明が解決しようとする課題】
【０００４】
しかしながら、上述した従来のものでは以下のような問題があった。
【０００５】
まず、前者のようにフィルタを一方の配管内に配置するものでは、フィルタを配管に対して固定するための構造が複雑化し、また、配管の連結端部内にフィルタを配置するため、当該配管の連結端部形状によってはフィルタを配置できない場合も生じる。さらに、フィルタ交換の際には、フィルタを配管内から取り出さなければならず、作業が煩雑になる。
【０００６】
また、後者のようなワンタッチで接続可能な管継手にも、前者のようなフィルタを取付けることは可能であるが、この場合にも上述した前者の管継手と同様な不具合があった。
【０００７】
本発明は、上記問題点に鑑みてなされたもので、その目的とするところは、ソケットとプラグを備えた管継手において、簡単な構造でソケット側の形状にも左右されずにフィルタを装着でき、しかもフィルタ交換を容易に行うことができる管継手を提供することにある。
【課題を解決するための手段】
【０００８】
上記の目的を達成するため、請求項１に係る発明の管継手は、プラグ部を有するプラグ側部材と、該プラグ部が着脱自在に接合されるソケット側部材とからなる管継手において、前記プラグ部は、その先端部分がフィルタを具備した着脱自在なフィルタ部材で構成されてなるものである。
【０００９】
請求項２に係る発明の管継手は、前記フィルタ部材は、プラグ先端に着脱自在に接続される接続部材と、この接続部材とでフィルタを保持する保持部材とで構成されたものである。
【００１０】
請求項３に係る発明の管継手は、前記保持部材は、前記接続部材にワンタッチで連結されるものである。
【００１１】
請求項４に係る発明の管継手は、前記保持部材は、前記接続部材に着脱自在に連結されるものである。
【００１２】
請求項５に係る発明の管継手は、前記プラグ側部材がリリーフ弁であって、このリリーフ弁の管内圧力作用側に前記プラグ部が形成されている。
【発明の効果】
【００１３】
本発明によれば、フラグ部の先端部分をフィルタを具備した着脱自在なフィルタ部材で構成したことで、ソケット側部材の形状に左右されず、既存の形状を殆ど変えることなく簡単な形状のままで、フィルタ機能を持たせた管継手を提供することができ、しかもフィルタ部材の交換も容易に行うことができる。
【発明を実施するための最良の形態】
【００１４】
以下、本発明の実施の形態について図面を参照して説明する。
【００１５】
図１は、本発明の管継手を示している。
【００１６】
この管継手１は、プラグ部２を有するプラグ側部材としてのリリーフ弁３と、該プラグ部２が着脱自在に接合されるソケット側部材４とで構成されている。
【００１７】
上記リリーフ弁３は、図２及び図３に示すように、本体３１内にポペット３３が軸方向に移動可能に介装されている。
【００１８】
具体的には、本体３１は両端にフランジ部３１ａ、３１ｂが形成され、管内圧力作用側となる一方（図２及び図３において左方）のフランジ部３１ａからプラグ部２が突出するようにして当該本体３１と一体に設けられている。
【００１９】
また、本体３１には、その軸心部に液体や気体などの適宜な流体が流れる流路３２が形成されている。流路３２は、上記プラグ部２側に形成された圧力流体の流入路３２ａと、この流入路３２ａよりも大径の逃がし路３２ｂとを有し、流入路３２ａと逃がし路３２ｂとが湾曲凹状に形成された連通路３２ｃを通じて連通されている。
【００２０】
ポペット３３は、軸部３３ａが上記流入路３２ａ内に配置されるとともに、傘部３３ｂが連通路３２ｃに配置されている。
【００２１】
軸部３３ａの先端部寄りには、流入路３２ａ内を摺動自在なガイド３４が軸部３３ａに螺入されたナット３４ａによって抜け止めされる形で設けられている。
【００２２】
また、流入路３２ａ内には上記ガイド３４をプラグ部２側に付勢するようにして軸部３３ａの外周にスプリング３５が設けられており、このスプリング３５によってポペット３３全体をプラグ部２側に付勢している。
【００２３】
傘部３３ｂの外周には、円環状のシールゴム３６が設けられており、前記スプリング３５によってポペット３３をプラグ部２側に付勢することで、シームゴム３６が連通路３２ｃに押圧され、これにより流入路３２ａと逃がし路３２ｂとの連通を遮断するようにしている。つまり、連通路３２ｃが弁座の機能を果たすようになっている。
【００２４】
従って、流入路３２ａ側にスプリング３５の付勢力に勝る流体の圧力が作用すると、ポペット３３がガイド３４に案内されながら逃がし路３２ｂ側に移動することになり、これによってシールゴム３６と連通路３２ｃとに生じた隙間を通じて流体を流入路３２ａ側から逃がし路３２ｃに逃がすようにしている。
【００２５】
一方、プラグ部２は、その途中部に環状溝２１が形成されており、この環状溝２１にＯリング２２などのシール部材が設けられている。
【００２６】
そして、プラグ部２の先端には、当該プラグ部２の一部を構成する形でフィルタ部材５が設けられている。
【００２７】
フィルタ部材５は、図２及び図３に示すようにプラグ部２の先端に着脱自在に接続される接続部材６と、この接続部材６とでフィルタ７を保持する保持部材８とで構成されている。具体的には、図３に示すように接続部材６は、環状に形成されたもので、その内面にはプラグ部２の先端に形成された雄ねじ２３に螺入する雌ねじ６１が形成されている。そして、接続部材６の外周面には、一端から途中部にかけて径大となるテーパ面６１が形成されるとともに、他端部にフランジ６２が形成され、テーパ面６１とフランジ６２との間に環状の係止溝６３が形成されている。
【００２８】
保持部材８は、図３に示すように、上記接続部材６と同様に環状に形成されたもので、その内面が以下の役割を担うように段状に形成されている。まず、環状に形成された一端面８１の内側にフィルタ７を収容する収容部８２が形成されている。また、途中部にはこの保持部材８に接続部材６を嵌め込んだ際に係止溝６３内に係止する環状の係止片８３が形成され、この係止片８３の他端面側には接続部材６のフランジ６２が嵌め込まれる収容部８４が形成されている。
【００２９】
従って、保持部材８内に接続部材６を押し込むことによって、係止片８３がテーパ面６１を摺接しながら係止溝６３に係止し、これにより両者を一体に接続する。この際、接続部材６が好適に撓みながら上述したように保持部材８に嵌合するように、当該接続部材６の周面には切欠６５を強度に支障をきたさない範囲で適数個形成している。
【００３０】
フィルタ７は、図４に示すようにメッシュフィルタであって、パッキン７１とカバー７２とによってサンドイッチ状に挟持された状態で前記収容部８２に配置される。
【００３１】
パッキン７１は図５に示すようにリング状に形成され、また、カバー７２は例えば図６に示すように４つの通孔７２ａを有する円盤状に形成されている。
【００３２】
従って、パッキン７１、フィルタ７、カバー７２を重ね合わせた状態で収容部８２に予め収容しておき、上述のように保持部材８に接続部材６を嵌入することで、これらフィルタ７等は保持部材８の一端面８１と接続部材６の一端面６ａとによってその周縁を挟持された状態で安定的に保持される。
【００３３】
つまり、フィルタ７等を収容部８２に挿入して保持部材８に接続部材６を嵌め込むだけの簡単な作業によってフィルタ部材５を作製することができ、このフィルタ部材５をプラグ部２の先端にねじ込むことでリリーフ弁３に簡単に組み付けることができる。
【００３４】
このようにフィルタ部材５をプラグ部２の一部分として組み付けることで、既存の形状を殆ど変えることなく簡単な形状のままで、フィルタ機能を持たせたリリーフ弁３を提供することができる。
【００３５】
また、パッキン７１を介装してフィルタ７を保持しているので、流体をフィルタ７に確実に通過させて異物を確実に除去することができる。しかもこのリリーフ弁３は、上流側でフィルタ７により異物を除去しているので、異物の噛み込みや付着などによるシール性能の低下を防止でき、耐久性の向上を図ることができる。
【００３６】
さらに、後述するソケット側部材４の形状にも左右されずにフィルタ部材５を装着でき、しかもフィルタ部材５をプラグ部２の先端部から取り外すことができるので当該フィルタ部材５の交換も容易に行うことができる。
【００３７】
前記ソケット側部材４は、図１に示すように接続側端部にフランジ４１が形成されるとともに、この端部内に前記プラグ部２が挿入可能な凹部４２が形成されている。このソケット側部材４は適宜な連結手段によって図示しない配管に連結されている。
【００３８】
また、前記リリーフ弁３の逃がし路３２ｃも適宜な連結手段によって図示しない配管に連結されている。
【００３９】
そして、リリーフ弁３とソケット側部材４との連結は、プラグ部２を凹部４２に差し込んで両者のフランジ３１ａ、４１を合致させ、この状態でこれらフランジ３１ａ、４１同士を図示しないファスナで挟み込んむ形で結合することによって行われる。
【００４０】
図７は、接続部材と保持部材との他の連結構造を示している。
【００４１】
これら接続部材６と保持部材８とはねじによって連結されている。即ち、接続部材６の外周面に雄ねじ６６が形成されるとともに、保持部材８の内周面に雄ねじ６６が螺入可能な雌ねじ８５が形成されており、保持部材８と接続部材６とを螺入することによって両者を連結している。なお、前述した接続部材６及び保持部材８と同様な部位には同符号をして説明は省略する。
【００４２】
このようなねじによる連結構造にすることで、保持部材８と接続部材６とを容易に分離でき、これによってフィルタ７だけの交換が可能になるためコストの低減を図ることができ経済的である。
【００４３】
なお、上述した実施形態は、あくまでも本発明の好適な実施態様を示すものであって、本発明はこれに限定されることなく、その範囲内において種々設計変更可能である。
【００４４】
例えば、本実施の形態ではプラグ側部材としてリリーフ弁３を例に採って説明したがこれに限らず、本発明はソケットとプラグを備えた管継手全般に適用することができる。
【図面の簡単な説明】
【００４５】
【図１】本発明の管継手を示す断面図である。
【図２】プラグ側部材としてのリリーフ弁を示す断面図である。
【図３】同じくリリーフ弁を各構成部材に分解した状態を示す断面図である。
【図４】フィルタを示す正面図である。
【図５】パッキンを示す正面図である。
【図６】カバーを示す正面図である。
【図７】接続部材と保持部材との他の連結構造を示す断面図である。
【符号の説明】
【００４６】
１  管継手
２  プラグ部
３  リリーフ弁（プラグ側部材）
４  ソケット側部材
５  フィルタ部材
６  接続部材
７  フィルタ
８  保持部材
【図１】
2006322475.tif 000003
【図２】
2006322475.tif 000004
【図３】
2006322475.tif 000005
【図４】
2006322475.tif 000006
【図５】
2006322475.tif 000007
【図６】
2006322475.tif 000008
【図７】
2006322475.tif 000009